(57)【要約】【課題】階段の上り下りに支障を生じさせずに、十分な数の洗濯物を乾すことのできる物干し構造を提供する。【解決手段】物干し構造１１は、住宅の下階１５と上階１６とに渡って設けられた折り返し階段２０と、折り返し階段２０の上方に位置する小屋裏吹き抜け空間Ｓと、小屋裏吹き抜け空間Ｓに位置する第１物干し竿５０と、折り返し階段２０に設けられた腰壁４１と、作業床７０と、ステップ８０と、を備える。作業床７０は、折り返し階段２０の上方において腰壁４１に沿って設けられており、上階１６の床３２より高い位置に位置する。ステップ８０は、上階１６の床３２と作業床７０とに渡って設けられている。住人１４は、作業床７０を足場にして、洗濯物５５を吊るしたハンガー５４を第１物干し竿５０に架ける。【選択図】図２
2020020115.tif 000002
【特許請求の範囲】
【請求項１】
住宅の下階と上階とに渡って設けられた折り返し階段と、
上記折り返し階段の上方に位置する小屋裏吹き抜け空間と、
上記小屋裏吹き抜け空間に位置する物干し竿と、
上記上階において上記折り返し階段に設けられた腰壁と、
上記折り返し階段の上方において上記腰壁に沿って設けられており、上記上階の床より高い作業床と、を具備する物干し構造。
【請求項２】
上記上階の床と上記作業床とに渡って設けられたステップを更に具備しており、
上記ステップは、上記腰壁から離れて位置する請求項１に記載の物干し構造。
【請求項３】
上記折り返し階段は、
上記下階の床から延びる第１階段と、
上記第１階段と交差して延びる第２階段と、
上記第２階段と交差して延びており、上記上階の床と連続する第３階段と、を有しており、
上記物干し竿は、上記第３階段の幅方向に沿って延びており、その両端が上記小屋裏吹き抜け空間を区画する一対の側壁に支持されている請求項１または２に記載の物干し構造。
【請求項４】
上記作業床は、上記第１階段の上方に位置する請求項３に記載の物干し構造。
【請求項５】
並列する一対の上記物干し竿と、
上記第３階段の上方において、一対の上記物干し竿に渡って設けられた補助竿と、を具備する請求項３または４に記載の物干し構造。
【請求項６】
上記小屋裏吹き抜け空間に、換気口が設けられている請求項１から５のいずれかに記載の物干し構造。
【発明の詳細な説明】
【技術分野】
【０００１】
本発明は、住宅の階段に用いられる物干し構造に関する。
【背景技術】
【０００２】
特許文献１は、住宅の階段を、洗濯物を乾かす空間に利用する技術を開示する。具体的には、特許文献１に記載された物干し構造は、物干し竿を収容する腰壁を備える。住人は、腰壁から物干し竿を上方に引き出し、洗濯物を物干し竿に架ける。
【先行技術文献】
【特許文献】
【０００３】
【特許文献１】特開平８−１７７１９４号公報
【発明の概要】
【発明が解決しようとする課題】
【０００４】
特許文献１に記載された技術は、腰壁の上方の空間しか利用できず、十分な数の洗濯物を乾すことできないという問題を有する。乾すことのできる洗濯物の数を増やすために、物干し竿が、階段の上方であって腰壁の側方に設けられると、住人の階段の上り下りに支障をきたす。
【０００５】
本発明は、前述された事情に鑑みてなされたものであり、階段の上り下りに支障を生じさせずに、十分な数の洗濯物を乾すことのできる物干し構造を提供することを目的とする。
【課題を解決するための手段】
【０００６】
(1)  本発明に係る物干し構造は、住宅の下階と上階とに渡って設けられた折り返し階段と、上記折り返し階段の上方に位置する小屋裏吹き抜け空間と、上記小屋裏吹き抜け空間に位置する物干し竿と、上記上階において上記折り返し階段に設けられた腰壁と、上記折り返し階段の上方において上記腰壁に沿って設けられており、上記上階の床より高い作業床と、を具備する。
【０００７】
住人は、腰壁に沿って設けられた作業床に立って、ハンガー等を用いて洗濯物を物干し竿に架ける。物干し竿は、小屋裏吹き抜け空間に設けられるので、腰壁の上方にのみ物干し竿が設けられる場合に比べ、物干し竿に架けることができる洗濯物の数が増える。また、物干し竿は、小屋裏吹き抜け空間に設けられるので、物干し竿に架けられた洗濯物が折り返し階段を上り下りする住人の支障となることがない。
【０００８】
(2)  好ましくは、本発明に係る物干し構造は、上記上階の床と上記作業床とに渡って設けられたステップを更に具備していてもよい。上記ステップは、上記腰壁から離れて位置する。
【０００９】
住人は、ステップを用いて作業床に上り、或いは作業床から下りる。ステップが設けられることにより、住人における作業床への移動が容易になる。また、ステップが腰壁から離れて位置するので、腰壁に沿って作業床が配置可能となり、住人が腰壁越しに物干し竿に手を伸ばせる範囲が広くなる。
【００１０】
(3)  好ましくは、上記折り返し階段は、上記下階の床から延びる第１階段と、上記第１階段と交差して延びる第２階段と、上記第２階段と交差して延びており、上記上階の床と連続する第３階段と、を有していてもよい。上記物干し竿は、上記第３階段の幅方向に沿って延びており、その両端が上記小屋裏吹き抜け空間を区画する一対の側壁に支持されている。
【００１１】
例えば、力板が設けられた側壁に物干し竿が支持されることによって、物干し竿の耐荷重が向上する。
【００１２】
(4)  好ましくは、上記作業床は、上記第１階段の上方に位置していてもよい。
【００１３】
作業床が第１階段の上方に設けられることにより、折り返し階段を上り下りする住人の支障にならないように作業足場を設けることができる。
【００１４】
(5)  好ましくは、本発明に係る物干し構造は、並列する一対の上記物干し竿と、上記第３階段の上方において、一対の上記物干し竿に渡って設けられた補助竿と、を具備していてもよい。
【００１５】
並列する一対の物干し竿に渡る補助竿が設けられるので、乾すことのできる洗濯物の数がさらに増える。また、腰壁越しに補助竿へ住人が手を伸ばしやすい。
【００１６】
(6)  好ましくは、上記小屋裏吹き抜け空間に、換気口が設けられていてもよい。
【００１７】
換気口が設けられることにより、小屋裏吹き抜け空間の空気の換気が行われる。その結果、洗濯物がより速く乾く。
【発明の効果】
【００１８】
本発明に係る物干し構造は、住人の階段の上り下りに支障を生じさせずに、十分な数の洗濯物を乾すことのできる手段を提供することができる。
【図面の簡単な説明】
【００１９】
【図１】図１は、住宅１０の斜視図である。
【図２】図２は、物干し構造１１の一部透過した模式的な斜視図である。
【図３】図３は、物干し構造１１の模式的な縦断面図である。
【図４】図４は、変形例における第１物干し竿１００を示す図である。
【発明を実施するための形態】
【００２０】
以下、本発明の実施形態について説明する。なお、以下に説明される実施形態は、本発明の一例にすぎず、本発明の要旨を変更しない範囲で、本発明の実施形態を適宜変更できることは言うまでもない。
【００２１】
図１は、本実施形態の物干し構造１１（図２）が採用された住宅１０の外観斜視図である。住宅１０は、例えば、２階建てや３階建てなどの低層の住宅である。住宅１０は、例えば、木造建築物である。ただし、住宅１０は、４階建て以上であってもよいし、鉄骨を用いた住宅であってもよい。
【００２２】
住宅１０は、外壁９１及び屋根９２を備える。外壁９１または屋根９２は、採光窓９４を有する。図示例では、採光窓９４である天窓が屋根９２に設けられている。また、外壁９１は、換気口９３を有する。換気口９３は、後述の小屋裏吹き抜け空間Ｓ（図２）と屋外とを連通する。
【００２３】
なお、図示例では、屋根９２は、寄棟屋根であるが、屋根９２は、切妻屋根や、片流れ屋根や、方形屋根や、段違い屋根や、陸屋根など、他の形状の屋根であってもよい。
【００２４】
物干し構造１１は、図２に示されるように、下階１５と上階１６とを繋ぐ折り返し階段２０を備える。下階１５は、例えば１階であり、上階１６は、例えば２階である。ただし、下階１５が２階であり、上階１６が３階であってもよいし、下階１５が１階であり、上階１６が３階であってもよい。
【００２５】
折り返し階段２０は、第１階段２１、第２階段２２、及び第３階段２３を有する。第１階段２１は、下階１５の床３１から直線状に延びている。第２階段２２は、第１階段２１の幅方向に沿って、第１階段２１の端から延びている。すなわち、第２階段２２は、第１階段２１と交差して延びている。第３階段２３は、第２階段２２の端から、上階１６の床３２まで直線状に延びている。すなわち、第３階段２３は、幅方向における第１階段２１の隣に併設されおり、第２階段２２と交差して延びている。なお、以下では、第１階段２１の幅方向を左右方向１２とし、水平面上において左右方向１２に直交する方向を前後方向１３として説明がされる。
【００２６】
物干し構造１１は、第１階段２１と第３階段２３との間に位置する腰壁４１と、折り返し階段２０を囲む３つの側壁４２、４３、４４と、をさらに備える。
【００２７】
腰壁４１は、下階１５の床３１から上階１６の床３２の上方まで延びている。腰壁４１の上端の高さ位置は、当該上端が後述の作業床７０に立つ住人１４の腰の高さ位置となる位置とされる。例えば、作業床７０が上階１６の床３２から６０ｃｍ程度の高さ位置である場合、床３２から腰壁４１の上端までの高さは、１４０ｃｍ程度とされる。すなわち、腰壁４１は、床３２に立つ住人１４の腰の高さ位置とされる従来の腰壁よりも高くされている。
【００２８】
側壁４２、４３は、左右方向１２における折り返し階段２０の両側に位置する。側壁４４は、前後方向１３における第２階段２２の後ろに位置している。左右方向１２における側壁４４の左端は、側壁４２と当接しており、右端は、側壁４３と当接している。なお、側壁４４は、住宅１０の外壁である。
【００２９】
物干し構造１１は、側壁４２、４３、４４の上端と当接する階段天井４５と、階段天井４５の下方に配置された第１物干し竿５０と、をさらに備える。階段天井４５は、傾斜する屋根９２に沿って延びている。
【００３０】
階段天井４５は、上階１６の部屋の天井の高さ位置Ｈ（図３）よりも高い位置に位置する。高さ位置Ｈは、例えば、上階１６の床３２から２４０ｃｍ程度である。階段天井４５は、上述の採光窓９４を有する。採光窓９４を通じて物干し構造１１に光が差し込む。
【００３１】
階段天井４５と側壁４２、４３、４４と内壁９６とに囲まれた空間であって、高さ位置Ｈよりも上の空間は、小屋裏吹き抜け空間Ｓである。すなわち、小屋裏吹き抜け空間Ｓは、上階１６の部屋の天井よりも高い位置に位置する空間である。
【００３２】
第１物干し竿５０は、小屋裏吹き抜け空間Ｓに配置されている。したがって、第１物干し竿５０は、上階１６の部屋の天井よりも高い位置に位置する。
【００３３】
第１物干し竿５０は、洗濯物５５が架けられたハンガー５４などを支持する部材である。小屋裏吹き抜け空間Ｓにおける第１物干し竿５０の高さ位置は、直下の第３階段２３の踏板の高さ位置や床３２に応じて決められる。具体的には、小屋裏吹き抜け空間Ｓにおける第１物干し竿５０の高さ位置は、第１物干し竿５０に架けられた洗濯物５５が、床３２を歩行する住人や第３階段２３を上り下りする住人１４に当たらない程度の高さ位置にされる。さらに具体的には、例えば、床３２を歩行する成人男性の住人１４の身長を１７０ｃｍとし、上下方向におけるハンガー５４及び洗濯物５５の長さを１００ｃｍ未満とすると、床３２から第１物干し竿５０までの高さは、２７０ｃｍ程度とされる。第１物干し竿５０は、小屋裏吹き抜け空間Ｓに配置されることにより、床３２から２７０ｃｍの高さ位置に配置され得る。
【００３４】
第１物干し竿５０は、第１竿部５１、第２竿部５２、及び補助竿部５３を有する。第１物干し竿５０は、本発明の物干し竿の一例である。第１竿部５１及び第２竿部５２は、本発明の並列する一対の物干し竿の一例である。補助竿部５３は、本発明の補助竿の一例である。
【００３５】
第１竿部５１は、左右方向１２に沿って延びる棒状である。第１竿部５１は、上階１６の床３２の上方に位置している。具体的には、第１竿部５１は、作業床７０に立つ住人１４が第１竿部５１にハンガー５４等を架けることができる位置に配置されている。さらに具体的には、前後方向１３における作業床７０の前端から第１竿部５１までの距離は、４０〜５０ｃｍ程度とされている。
【００３６】
左右方向１２における第１竿部５１の左端は、側壁４２に支持されている。左右方向１２における第１竿部５１の右端は、側壁４３に支持されている。例えば、第１竿部５１の端部がそれぞれ挿通される挿通孔が側壁４２、４３にそれぞれ設けられ、さらに、第１竿部５１の端部を支持する支持部材が側壁４２、４３内にそれぞれ設けられる。或いは、第１竿部５１の端部を支持する竿受けが側壁４２、４３に木ネジなどによって強固に固定される。竿受けを固定する側壁４２、４３の一部分には、力板が設けられてもよい。
【００３７】
第２竿部５２は、左右方向１２に沿って延びる棒状である。第２竿部５２は、第１竿部５１と同じ高さ位置に位置している。また、第２竿部５２は、前後方向１３における第１竿部５１の後方であって、第３階段２３、腰壁４１、及び後述の作業床７０の上方に位置している。さらにまた、第２竿部５２は、第１竿部５１と平行に配置されている。左右方向１２における第２竿部５２の左端は、第１竿部５１と同様の支持方法で側壁４２に支持されている。左右方向１２における第２竿部５２の右端は、第１竿部５１と同様の支持方法で側壁４３に支持されている。
【００３８】
補助竿部５３は、支持可能なハンガー５４の数、すなわち支持可能な洗濯物５５の数をさらに増やすために設けられている。具体的には、補助竿部５３は、前後方向１３に沿って延びる棒状である。補助竿部５３は、左右方向１２における腰壁４１よりも左方に位置している。前後方向１３における補助竿部５３の前端は、左右方向１２における第１竿部５１の中間部と連結している。補助竿部５３の後端は、左右方向１２における第２竿部５２の中間部と連結している。例えば、前後方向１３における補助竿部５３の前端及び後端は、溶接や、ネジなどの固着具を用いて、第１竿部５１及び第２竿部５２と連結されている。すなわち、補助竿部５３は、第１竿部５１及び第２竿部５２に両端部をそれぞれ固定されている。
【００３９】
左右方向１２における補助竿部５３の位置は、例えば、後述の作業床７０に立つ住人１４が補助竿部５３にハンガー５４などを架けることが可能な位置とされる。具体的には、左右方向１２における腰壁４１から補助竿部５３までの距離は、例えば４０〜５０ｃｍ程度とされている。
【００４０】
また、物干し構造１１は、第２階段２２の上方に配置された第２物干し竿６１及び第３物干し竿６２をさらに備えている。
【００４１】
第２物干し竿６１は、第３竿部６３及び第４竿部６４を有する。第３竿部６３は、前後方向１３に沿って延びる棒状である。前後方向１３における第３竿部６３の前端は、第１物干し竿５０の第１竿部５１と同様の支持方法で腰壁４１の後面の上端部において腰壁４１に支持されている。前後方向１３における第３竿部６３の後端は、第１物干し竿５０の第１竿部５１と同様の支持方法で側壁４４に支持されている。
【００４２】
第４竿部６４は、左右方向１２に沿って延びる棒状である。第４竿部６４は、第３竿部６３と同じ高さ位置に配置されている。左右方向１２における第４竿部６４の左端は、第１物干し竿５０と同様にして、前後方向１３における第３竿部６３の中間部と連結されている。左右方向１２における第４竿部６４の右端は、第１物干し竿５０の第１竿部５１と同様の支持方法で側壁４３に支持されている。すなわち、第２物干し竿６１は、腰壁４１、側壁４３、４４によって支持されている。
【００４３】
上述のように、前後方向１３における第２物干し竿６２の第３竿部６３の前端は、腰壁４１の上端部に支持されており、第２物干し竿６２の高さ位置は、腰壁４１の上端の位置とほぼ同じである。すなわち、第２物干し竿６２の高さ位置は、上階１６の床３２から１４０ｃｍ程度の位置にある。下階１５の床３１から上階１６の床３２までの高さが３００ｃｍ程度であり、第２階段２２から上階１６の床３２までの高さが１２０ｃｍ程度であり、第２階段２２を上り下りする成人男性の住人１４の身長が１７０ｃｍ程度であり、上下方向におけるハンガー５４及び洗濯物５５の長さを１００ｃｍ程度であるとすると、洗濯物５５の下端から住人１４の頭部までの距離は、９０ｃｍ程度となる。すなわち、住人１４は、第２物干し竿６２に架けられた洗濯物５５に当たることなく、第２階段２２を上り下りすることができる。
【００４４】
第３物干し竿６２は、左右方向１２に沿って延びる棒状である。第３物干し竿６２は、第２物干し竿６２の上方に配置されている。具体的には、第３物干し竿６２は、第３物干し竿６２に架けられた洗濯物５５が第２物干し竿６２と当たらない程度の距離を空けて、第２物干し竿６１の上方に配置されている。さらに具体的には、第２物干し竿６２は、例えば、第２物干し竿６１から１００ｃｍほど上であって、上階１６の床３２から２４０ｃｍ程度の高さ位置に配置されている。
【００４５】
また、前後方向１３における第３物干し竿６２の位置は、作業床７０に立つ住人１４が第３物干し竿６２に洗濯物５５を架けることができる位置とされている。具体的には、前後方向１３における腰壁４１の後端から第３物干し竿６２までの距離は、例えば４０〜５０ｃｍ程度とされている。
【００４６】
物干し構造１１は、換気扇９５を備える。換気扇９５は、例えば、外壁９１（図１）や、内壁９６に設けられる。換気扇９５が設けられる外壁９１や内壁９６は、換気口９３（図１）と連通する通気路９７を有する。
【００４７】
物干し構造１１は、作業床７０、腰壁７２、及びステップ８０をさらに備える。作業床７０は、住人１４が洗濯物５５を乾す際に足場となる部材である。ステップ８０は、住人１４が作業床７０に上がり、或いは作業床７０から下りるための階段である。
【００４８】
作業床７０は、板状であり、左右方向１２における腰壁４１の右側に配置されている。前後方向１３における作業床７０の後端は、前後方向１３における腰壁４１の後端とほぼ同じ位置にある。前後方向１３における作業床７０の前端は、前後方向１３における腰壁４１の前端とほぼ同じ位置にある。すなわち、作業床７０は、第１階段２１の上方に、腰壁４１に沿って設けられている。
【００４９】
左右方向１２における作業床７０の長さは、腰壁４１から側壁４３までの長さと同程度である。すなわち、作業床７０は、腰壁４１から側壁４３に渡って設けられている。左右方向１２における作業床７０の左端は、腰壁４１に固定されている。左右方向１２における作業床７０の右端は、側壁４３に固定されている。例えば、作業床７０は、腰壁４１及び側壁４３内に設けられた固定部材によって腰壁４１及び側壁４３に固定される。
【００５０】
上階１６の床３２から作業床７０までの高さは、作業床７０に立つ住人１４が第１物干し竿５０にハンガー５４を架けることができる高さとされる。具体的には、上階１６の床３２から作業床７０までの高さは、例えば６０ｃｍ程度とされる。
【００５１】
作業床７０は、前後方向１３における前部であって、左右方向１２における右部に切欠き７１を有している。切欠き７１は、後述のステップ８０の上方を開放する。
【００５２】
腰壁７２は、前後方向１３における作業床７０の後方に配置されている。腰壁７２は、前後方向１３における作業床７０の後端から、腰壁４１の上端まで延びている。腰壁７２は、前後方向１３における作業床７０の後端と、前後方向１３における腰壁４１の後端とに連結されて固定されている。腰壁７２は、作業床７０に立って作業を行う住人の安全性を確保する。すなわち、腰壁７２は、第１階段２１の上方に作業床７０を設けたことに応じて設けられている。
【００５３】
ステップ８０は、２つの踏板８１、８２を有する。なお、ステップ８０は、１つの踏板のみを有していてもよいし、３つ以上の踏板を有していてもよい。
【００５４】
踏板８１、８２は、上下方向を厚みとする板状である。左右方向１２における踏板８１、８２の長さは、左右方向１２における作業床７０の長さとほぼ同じである。すなわち、踏板８１は、腰壁４１と側壁４３とに渡って設けられている。
【００５５】
左右方向１２における踏板８１、８２の左端は、腰壁４１に固定されている。左右方向１２における踏板８１、８２の右端は、側壁４３に固定されている。例えば、踏板８１、８２は、腰壁４１及び側壁４３内に設けられた固定部材によって腰壁４１及び側壁４３に固定される。なお、踏板８１、８２の下に、蹴込板が設けられていてもよい。
【００５６】
上階１６の床３２から踏板８１までの高さは、例えば２０ｃｍである。踏板８１から踏板８２までの高さは、例えば２０ｃｍである。踏板８２から作業床７０までの高さは、例えば２０ｃｍである。すなわち、床３２、踏板８１、踏板８２、及び作業床７０は、上下方向において、等間隔で離間する。
【００５７】
左右方向１２における踏板８１、８２の右部の上方は、作業床７０の切欠き７１によって開放されている。住人１４は、上方が開放された踏板８１、８２の右部を通って、作業床７０に上り、或いは、作業床７０から下りる。左右方向１２における踏板８１、８２の右部、すなわち、ステップ８０の右部は、本発明のステップの一例である。すなわち、本発明のステップは、腰壁４１から離れて位置している。
【００５８】
以下、本実施形態の物干し構造１１において、住人１４が洗濯物５５を乾す作業について説明がされる。まず、住人１４は、洗濯物５５が収容された洗濯籠５６を持ち、ステップ８０を通じて作業床７０に上る。そして、住人１４は、作業床７０に洗濯籠５６を置き、洗濯物５５をハンガー５４などに架け、当該ハンガー５４などを物干し竿５０、６１、６２に架ける。
【００５９】
住人１４は、第１物干し竿５０の第１竿部５１や補助竿部５３にハンガー５４を架ける場合、前後方向１３における作業床７０の前部に立つ。住人１４は、第１物干し竿５０の第２竿部５２や物干し竿６１、６２にハンガー５４を架ける場合、前後方向１３における作業床７０の中央部や後部に立つ。
【００６０】
また、住人１４は、物干し竿５０、６１、６２に架けられた洗濯物５５に当たることなく、折り返し階段２０を上り下りし、或いは、上階１６の床３２上を歩行する。
【００６１】
[実施形態の作用効果]
本実施形態では、第１物干し竿５０は、階段天井４５の下方であって、第１階段２１、腰壁４１、上階１６の床３２の上方に配置されているので、十分な数の洗濯物５５を乾すことができる。また、第１物干し竿５０は、上階１６の部屋の天井の高さ位置Ｈよりも高い位置に配置されているので、第１物干し竿５０に乾された洗濯物５５が第３階段２３を上り下りする住人１４や上階１６の床３２上を歩行する住人１４の支障となることがない。また、第１階段２１の上方に作業床７０が設けられているので、作業床７０を足場にして住人１４に洗濯物５５を第１物干し竿５０に架けさせることができる。
【００６２】
また、本実施形態では、第１物干し竿５０に加え、第２物干し竿６１及び第３物干し竿６２が設けられているので、物干し構造１１において、さらに多くの洗濯物５５を乾すことができる。また、第２物干し竿６１は、第２階段２２の上方であって、腰壁４１の上端と同程度の高さ位置に配置されているので、第２物干し竿６１に乾された洗濯物５５が、第２階段２２を上り下りする住人の支障となることがない。
【００６３】
また、本実施形態では、ステップ８０が設けられているので、住人１４における作業床７０への上り下りが容易になる。また、ステップ８０が腰壁４１から離れて位置するので、腰壁４１に沿ってステップ８０を配置することが可能となり、その結果、住人１４が腰壁４１越しに第１物干し竿５０に手を延ばせる範囲が広くなる。
【００６４】
また、本実施形態では、第１物干し竿５０は、側壁４２、４３に支持されている。したがって、側壁４２、４３に力板を設けるなどして、第１物干し竿５０の耐荷重を向上させることができる。
【００６５】
また、本実施形態では、作業床７０が第１階段２１の上方に設けられているので、折り返し階段２０を上り下りする住人１４に支障とならないように住人１４の作業足場を設けることができる。
【００６６】
また、本実施形態では、第１物干し竿５０に補助竿部５３が設けられているので、第１物干し竿５０に架けることのできる洗濯物５５の数をさらに増やすことができる。また、腰壁４１越しに補助竿部５３へ住人１４が手を伸ばし易い。
【００６７】
また、本実施形態では、換気口９３及び換気扇９５が設けられているので、小屋裏吹き抜け空間内Ｓの空気の換気を行うことができる。その結果、洗濯物５５がより速く乾く。
【００６８】
また、作業床７０は板状であるので、作業床７０の厚みを低減することができる。その結果、作業床７０が第１階段２１を上り下りする住人１４の支障になることがさらに抑制される。
【００６９】
[変形例]
物干し構造１１は、第１物干し竿５０に代えて、図４に示される第１物干し竿１００を備えていてもよい。第１物干し竿１００は、Ｕ字状であって、左右方向１２に沿う互いに平行な棒状の第５竿部１０１及び第６竿部１０２と、前後方向１３に沿う棒状の第７竿部１０３とを有する。第５竿部１０１、第６竿部１０２、及び第７竿部１０３は、全て同じ高さ位置であって、実施形態の第１物干し竿５０と同じ高さ位置にある。左右方向１２における第５竿部１０１及び第６竿部１０２の右端は、側壁４３に固定されている。左右方向１２における第５竿部１０１及び第６竿部１０２の左端は、側壁４２から離間している。前後方向１３における第７竿部１０３の前端は、第１物干し竿５０と同様にして、左右方向１２における第５竿部１０１の左端と連結している。前後方向１３における第７竿部１０３の後端は、第１物干し竿５０と同様にして、左右方向１２における第６竿部１０２の左端と連結している。左右方向１２における第５竿部１０１及び第６竿部１０２の左端或いは第７竿部１０３は、支持部材１０４によって階段天井４５から吊下される。すなわち、作業床７０に立つ住人１４が洗濯物５５を架けることができる範囲内に物干し竿が設けられていてもよい。
【００７０】
［その他の変形例］
上述の実施形態では、物干し竿５０、６１、６２が側壁４２、４３、４４や腰壁４１に支持された例が説明された。しかしながら、物干し竿５０、６１、６２の全部或いは一部は、階段天井４５から吊下されていてもよい。
【００７１】
また、上述の本実施形態では、物干し構造１１が第２物干し竿６１及び第３物干し竿６２を有する例を説明した。しかしながら、物干し構造１１は、第２物干し竿６１及び第３物干し竿６２を有さず、第１物干し竿５０のみを有していてもよい。また、物干し構造１１は、第２物干し竿６１を有さず、第１物干し竿５０及び第３物干し竿６２のみを有していてもよいし、第３物干し竿６２を有さず、第１物干し竿５０及び第２物干し竿６１のみを有していてもよい。
【００７２】
また、上述の実施形態では、第１物干し竿５０が側壁４２、４３に固定された例を説明した。しかしながら、第１物干し竿５０は、側壁４２、４３から着脱可能であってもよい。第２物干し竿６１及び第３物干し竿６２についても同様に、着脱可能であってもよい。
【００７３】
また、上述の実施形態では、第１物干し竿５０の第１竿部５１が上階１６の床３２の上方に位置する例を説明した。しかしながら、第１竿部５１は、第３階段２３の上方に位置していてもよい。
【００７４】
また、上述の実施形態では、物干し竿５０、６１、６２が設けられた例を説明した。しかしながら、物干し竿５０、６１、６２に代えて、或いは物干し竿５０、６１、６２とともに、前後方向１３に沿って延びる第４物干し竿が設けられていてもよい。第４物干し竿は、小屋裏吹き抜け空間Ｓに設けられる。具体的には、第４物干し竿は、上階１６の部屋の天井の高さ位置Ｈよりも高い位置であって、かつ階段天井４５の下方であって、さらにかつ、第２階段２２及び第３階段２３の上方に配置される。前後方向１３における第４物干し竿の前端は、第１物干し竿５０の第１竿部５１と同様の支持方法で、内壁９６に支持される。前後方向１３における第４物干し竿の後端は、第１物干し竿５０の第１竿部５１と同様の支持方法で、階段天井４５或いは側壁４４に支持される。
【００７５】
また、上述の実施形態では、階段天井４５が傾斜している例を説明した。しかしながら、階段天井４５は、例えば屋根９２が陸屋根など水平な屋根である場合、屋根９２に合わせて水平であってもよい。
【符号の説明】
【００７６】
１０・・・住宅
１１・・・物干し構造
１５・・・下階
１６・・・上階
２０・・・折り返し階段
２１・・・第１階段
２２・・・第２階段
２３・・・第３階段
４１・・・腰壁
４２、４３、４４・・・側壁
４５・・・階段天井
５０・・・第１物干し竿
５１・・・第１竿部
５２・・・第２竿部
５３・・・補助竿部
７０・・・作業床
８０・・・ステップ
９３・・・換気口
Ｓ・・・小屋裏吹き抜け空間
【図１】
2020020115.tif 000003
【図２】
2020020115.tif 000004
【図３】
2020020115.tif 000005
【図４】
2020020115.tif 000006